(57)【特許請求の範囲】
【請求項１】
ひだ折りされた濾紙からなる筒状濾材の上下両端部にアンカーナットを埋設した接着材
充填部を形成するとゝもに、前記筒状濾材及びその内側に所定の間隔をおいて設置した補
強機能を有する多孔の筒体の上下両端開口部を上蓋と下蓋でそれぞれ閉塞し、前記筒状濾
材と筒体との間に設置した上下方向に延びる連結ボルトの前記上下両蓋から外側へ突出す
る両端をナット締めすることで前記上下両蓋を前記筒体を介して一体に連結固定し、更に
前記上下両蓋の貫通孔に外側からそれぞれ挿入し前記アンカーナットに螺合したボルトの
ボルト締めにより、前記筒状濾材の上下両端部をシール機能を有する前記接着材充填部を
介して前記上下両蓋に固定する構成としたことを特徴とするフィルタエレメント。
【請求項２】
前記筒状濾材の上下両端開口部にリング状のパッキンを介在させ、該パッキンを介して
前記筒状濾材の上下両端部を前記上下両蓋にそれぞれ固定する構成としたことを特徴とす
る請求項１記載のフィルタエレメント。
【請求項３】
前記連結ボルトの一端を、前記上蓋または下蓋のいづれか一方に溶接等により固定する
か或いは溶接等により固定したナットに螺合することで固定する構成としたことを特徴と
する請求項１又は２記載のフィルタエレメント。
【請求項４】
前記連結ボルトのナット締めする部分に、ナットの抜けを防止するナット抜け防止具を
装着する構成としたことを特徴とする請求項１，２又は３記載のフィルタエレメント。
【請求項５】
前記上蓋の上面に、倒立可能とした一対の円弧状釣り部材を装着する構成としたことを
特徴とする請求項１，２，３又は４記載のフィルタエレメント。
【発明の詳細な説明】
【技術分野】
【０００１】
本発明は、例えば内燃機関の潤滑油を濾過するためのフィルタエレメントに関するもの
である。
【背景技術】
【０００２】
内燃機関の潤滑油を濾過するために使用される従来のフィルタエレメントは、ひだ折り
された濾紙を丸めて形成した筒状濾材と、その内側に設けた多数の流通孔を形成した強度
構造部材としての金属製の内筒、すなわち、筒状濾材が外側から内側へ流動する潤滑油の
圧力によって変形するのを防止するために構成された金属製の内筒と、該内筒の両端開口
部に設けた金属製の上蓋および下蓋とから主に構成されており、前記上蓋および下蓋は接
着材によって前記内筒および筒状濾材とにそれぞれ固定され、一体化構造となっている。
【発明の開示】
【発明が解決しようとする課題】
【０００３】
従来のように、上蓋，下蓋，内筒および筒状濾材が接着材により一体化構造となってい
るフィルタエレメントにあって、筒状濾材の外周面に金属粒子が捕捉され、目詰まりして
交換する必要が生じた場合は、上蓋，下蓋，内筒および筒状濾材を分解するきに手間がか
かるため、通常は産業廃棄物として処理している。したがって、処分にコストがかかるば
かりでなく、リサイクルされないといった問題点がある。
【０００４】
本発明は、上蓋，下蓋，内筒および筒状濾材を容易に分解することができ、筒状濾材の
みを廃棄し、その他の構成部材である上蓋，下蓋，内筒等を回収して再利用できるフィル
タエレメントを提供することを目的としたものである。
【課題を解決するための手段】
【０００５】
上記の目的を達成するための請求項１に記載のフィルタエレメントは、ひだ折りされた
濾紙からなる筒状濾材の上下両端部にアンカーナットを埋設した接着材充填部を形成する
とゝもに、前記筒状濾材及びその内側に所定の間隔をおいて設置した補強機能を有する多
孔の筒体の上下両端開口部を上蓋と下蓋でそれぞれ閉塞し、前記筒状濾材と筒体との間に
設置した上下方向に延びる連結ボルトの前記上下両蓋から外側へ突出する両端をナット締
めすることで前記上下両蓋を前記筒体を介して一体に連結固定し、更に前記上下両蓋の貫
通孔に外側からそれぞれ挿入し前記アンカーナットに螺合したボルトのボルト締めにより
、前記筒状濾材の上下両端部をシール機能を有する前記接着材充填部を介して前記上下両
蓋に固定する構成とした。
【０００６】
また請求項２に記載のフィルタエレメントは、前記筒状濾材の上下両端開口部にリング
状のパッキンを介在させ、該パッキンを介して前記筒状濾材の上下両端部を前記上下両蓋
にそれぞれ固定する構成とした。そして、更に請求項３に記載のフィルタエレメントは、
前記連結ボルトの一端を、前記上蓋または下蓋のいづれか一方に溶接等により固定するか
或いは溶接等により固定したナットに螺合することで固定する構成とした。
【０００７】
そして又、請求項４に記載のフィルタエレメントは、前記連結ボルトのナット締めする
部分に、ナットの抜けを防止するナット抜け防止具を装着する構成とし、更に、請求項５
に記載のフィルタエレメントは、前記上蓋の上面に、倒立可能とした一対の円弧状釣り部
材を装着する構成としたものである。
【発明の効果】
【０００８】
請求項１に記載のフィルタエレメントにあっては、ネジを螺脱することで各構成部材を
容易に分解することができ、紙製の筒状濾材のみを廃棄し、その他の構成部材を再利用で
きる。また、請求項２に記載のフィルタエレメントにあっては、前記筒状濾材の上下両端
開口部にリング状のパッキンを介在させることで、筒状濾材の上蓋および下蓋との間のシ
ールがより一層確実なものとなる。
【０００９】
そして、請求項３に記載のフィルタエレメントにあっては、連結ボルトの一端を前記上
蓋または下蓋のいづれか一方に溶接等により固定するか或いは溶接等により固定したナッ
トに螺合する構成とすることで部品点数が少なくて済むとゝもに、例えナット等の固定部
材が不慮の事故によって外れたとしてもフィルタエレメント内に止まり、内燃機関の液循
環システムの中に置き忘れることもない。
【００１０】
そして又、請求項４に記載のフィルタエレメントにあっては、前記連結ボルトの上蓋又
は下蓋から外側に突出する端部に螺合するナットが緩んだとしても、このナットの抜けを
確実に防止することができる。また、請求項５に記載のフィルタエレメントにあっては、
前記上蓋の上面に、倒立可能とした一対の円弧状釣り部材を装着する構成とすることで、
一対の釣り部材を立ち上がらせ、これを握って引き出すことで、狭い場所であってもフィ
ルタエレメントを容易にかつ手を油等で汚すことなく取り出すことができる。
【発明を実施するための最良の形態】
【００１１】
以下、本発明を図１乃至図４に示す実施形態に基づいて詳細に説明する。図において、
１は本発明に係るフィルタエレメントで、例えば油圧アクチュエーターや油圧ポンプ等を
有する油圧回路の循環系に内蔵されるものである。このフィルタエレメント１は、両端が
開口する金属製の内筒２と、該内筒２の外側に所定の間隔をおいて設置した同じく金属製
の外筒３と、該外筒３の外側に設置した筒状濾材４と、前記内筒２，外筒３および筒状濾
材４の上端開口部をそれぞれ閉塞する上蓋５と、同じく、下端開口部を閉塞する下蓋６お
よび前記上蓋５と下蓋６を連結固定する連結ボルト７等から主に構成されている。
【００１２】
前記内筒２および外筒３は強度構成部材として機能するもので、金属板で形成した円筒
形状のものであり、その周壁には多数の流通孔２ａ，３ａがそれぞれ穿設されており、後
述する連結ボルト７のナット８Ａ締めにより、上蓋５，下蓋６を介して加わるその軸線方
向の加重に対して十分な強度を有している。勿論、前記筒状濾材４が外側から内側へ流動
する潤滑油の圧力を受けた場合でも、前記内筒２および外筒３はこの圧力に対して耐え得
るだけの十分な強度を有しており、その結果、後述する前記筒状濾材４の変形は確実に防
止される。
【００１３】
４は筒状濾材で、ひだ折りした濾紙を筒状に丸めて平面視星形の形状に形成したもので
あり、この筒状濾材４の上下両端部にあって、平面視が横Ｖ字状の濾材内外の空間部には
接着材充填部４Ａが設けられている。この接着材充填部４Ａの上・下両端面は上蓋５，下
蓋６との接合面にシール機能をもたせるために、それぞれ前記筒状濾材４の上下両端面と
同一平面か或いは突出した状態に形成されている。４Ｂは前記接着材充填部４Ａの中に埋
め込まれたアンカーナットで、前記筒状濾材４の上端側にあっては上端面に，下端側にあ
っては下端面にそれぞれ開口しており、前記筒状濾材４の周方向にほゞ等間隔で複数箇所
（図面に示す実施例では６か所）に設置されている。
【００１４】
５は上蓋，６は下蓋で、前記内筒２，外筒３および筒状濾材４の上下両端開口部を上下
方向から挟んで閉塞するためのものであり、前記上蓋５の中央には吐出口５Ａが、前記下
蓋６の中央には非常時流入口６Ａがそれぞれ形成されている。７は前記内筒２と外筒３と
の間に立った状態で設置される連結ボルトで、その下端は前記下蓋６の上面に溶接によっ
て固定した溶接ナット８Ｂに螺合することで起立しており、前記上蓋５に形成したボルト
挿通孔５Ｃを貫通した連結ボルト７の上端にナット８Ａを螺合し、該ナット８Ａを締め付
けることで上下両蓋５，６が前記内筒２，外筒３を介して連結され一体化になっている。
なお、図中８Ｃは前記連結ボルト７の下端に螺合したダブルナットであり、９は連結ボル
ト７の上端にあって、ナット８Ａの上部に設置した割りピンである。
【００１５】
１０は前記筒状濾材４の上下両端開口部に設置するリング状のシール材で、比較的柔ら
かなゴム系樹脂或いはウレタンエラストマ等から形成されており、該シール材１０の周方
向にはほゞ等間隔で複数箇所、貫通孔１０Ａが形成されている。詳述すると、この貫通孔
１０Ａは、前記筒状濾材４の上下両端部にあって、接着材充填部４Ａの中に埋め込まれた
前記アンカーナット４Ｂと対応する位置に形成されており、更には、前記上下両蓋５，６
に形成した貫通孔５Ｂ，６Ｂとも対応する位置にそれぞれ形成されている。
【００１６】
１１は皿ネジで、上下両蓋５，６にそれぞれ形成した前記貫通孔５Ｂ，６Ｂおよびシー
ル材１０の貫通孔１０Ａを通してアンカーナット４Ｂに螺合させ、これを締めつけること
で、前記筒状濾材４を上下両蓋５，６に固定する構造としたものである。なお、図中、１
２，１２は前記上蓋５の上面にあって倒立可能となるように取付部１３，１３で回動可能
に枢着した半円状の把手であり、左右一対の把手１２，１２を起立させ、これを一緒に掴
むことでフィルタエレメント１を吊り上げ、吊り下げを行う。
【００１７】
上記のような各構成部材からなるフィルタエレメント１にあって、図１乃至図３に示す
状態からこれを図４に示すように分解し、構成部材の一つである前記筒状濾材４を分離す
る場合には、先ず連結ボルト７の上端から割りピン９を抜き取り、ナット８Ａを連結ボル
ト７の上端から取り外すことで、上蓋５と下蓋６の一体化が解除される。次に、各皿ネジ
１１をアンカーナット４Ｂからそれぞれ抜き取ることで、前記筒状濾材４は上蓋５と下蓋
６との固定から解除される。つぎに、上蓋５を取り外した後、内部から筒状濾材４を抜き
出して取り出す。なお、組み立てる場合には、上記分解工程の逆の工程を経ることで、新
たな筒状濾材４がセットされたフィルタエレメント１が完成する。
【図面の簡単な説明】
【００１８】
【図１】本発明に係るフィルタエレメントの全体斜視図である。
【図２】同フィルタエレメントの平面図である。
【図３】同フィルタエレメントの縦断面図である。
【図４】同フィルタエレメントの分解斜視面図である。
【符号の説明】
【００１９】
１  フィルタエレメント
２  内筒
３  外筒
２ａ，３ａ  流通孔
４  筒状濾材
４Ａ  接着材充填部
４Ｂ  アンカーナット
５  上蓋
５Ａ  吐出口
５Ｂ  貫通孔
５Ｃ  ボルト挿通孔
６  下蓋
６Ａ  非常時流入口
６Ｂ  貫通孔
７  連結ボルト
８Ａ  ナット
８Ｂ  溶接ナット
８Ｃ  ダブルナット
９  割りピン
１０  シール材
１１  皿ネジ
１２  把手
１３  取付部
【図１】
0005033599.tif 000002
【図２】
0005033599.tif 000003
【図３】
0005033599.tif 000004
【図４】
0005033599.tif 000005